(57)【要約】【課題】美麗な外壁装飾を実現することができるうえに、設置状態の安全性が高く、台風や地震等において、長尺陶器製化粧材の落下を防止することができ、さらに足場組を要さずに簡易に施工することができる実用的な外壁化粧体およびその施工方法を提供する。【解決手段】長尺の陶器製化粧材を利用し建造物の外壁に設置されるルーバー型の化粧体であり、該化粧体が、外壁に設けた固定用金具に対する固定用部を有する左右の枠プレートと、前記枠プレート間に所要ピッチで配列された複数本の長尺陶器製化粧材と、各長尺陶器製化粧材の長手方向空洞部に挿通され、端部が前記枠プレートに連結固定された支持ロッドと、各長尺陶器製化粧材の空洞部に挿通され端部が前記枠プレートに連結固定されたロープとを備えたユニットから構成されている。【選択図】図９
2008223256.tif 000002
【特許請求の範囲】
【請求項１】
長尺の陶器製化粧材を利用し建造物の外壁に設置されるルーバー型の化粧体であって、該化粧体が、外壁に設けた固定用金具に対する固定用部を有する左右の枠プレートと、前記枠プレート間に所要ピッチで配列された複数本の長尺陶器製化粧材と、各長尺陶器製化粧材の長手方向空洞部に挿通され、端部が前記枠プレートに連結固定された支持ロッドと、各長尺陶器製化粧材の空洞部に挿通され端部が前記枠プレートに連結固定されたロープとを備えたユニットから構成されていることを特徴とする長尺陶器製化粧材を用いた外壁装飾体。
【請求項２】
左右の枠プレート間に中間枠プレートを有し、これを境として左右に長尺陶器製化粧材が配され、支持ロッドとロープが中間枠プレートを通過して端部の枠プレートに連結されている請求項１に記載の長尺陶器製化粧材を用いた外壁装飾体。
【請求項３】
枠プレートが支持ロッドの端部に対応する位置に穴を有し、支持ロッド端部に前記穴を通してねじが螺合して固定されており、ロープが端部に筒状圧着金具を有し、その筒状定着金具の先端が枠プレートに設けた穴にてねじ止めされている請求項１に記載の長尺陶器製化粧材を用いた外壁装飾体。
【請求項４】
建造物外壁に長尺の陶器製化粧材を利用したルーバー型装飾を施するにあたり、外壁に設けた固定用金具に対する固定用部を突設した左右の枠プレートと、前記枠プレート間に所要ピッチで配列された長尺陶器製化粧材と、各長尺陶器製化粧材の長手方向空洞部に挿通され、端部が前記枠プレートに連結固定された支持ロッドおよびロープとを備えたユニットを用い、該ユニットの前記枠プレートの端部にシャックルを含む吊具を取付け、建造物に配したクレーンからのロープを前記吊具に連結してユニットを吊り上げ、左右の枠プレートの固定用部を外壁に設けた固定用金具に連結する作業を繰り返すことを特徴とする長尺陶器製化粧材を用いた外壁装飾体の施工方法。
【請求項５】
吊具として、枠プレートの端部に着脱可能に取り付けられる支点部と、枠プレートの端部よりも外方に位置したシャックル取付け部と、前記支点部とシャックル取付け部間にあって最端の長尺陶器製化粧材またはロープ連結部との接触を避けるための逃げ部を有するプレートからなり、かつ、プレートの端部には、前記シャックル取付け部が牽引されたときに枠プレートの幅方向端面に当接するストッパとを有しているものを用いる請求項４に記載の長尺陶器製化粧材を用いた外壁装飾体の施工方法。
【発明の詳細な説明】
【技術分野】
【０００１】
本発明は長尺陶器製化粧材を用いた建築物外壁へ装飾構造とその施工方法に関する。
【背景技術】
【０００２】
ビルの外壁がコンクリート製である場合、装飾のためタイルを貼ることが多いが、そうしたタイルは平盤状をなしているので、平面的で審美感が不十分となりやすいうらみがあった。また、施工上もモルタル等によって壁に貼り付けるので、足場を組みここでの高所作業となり、工期が長くコストも高くなる問題があった。
【０００３】
前記平面タイル外装に代わるものとして、最近、１５００ｍｍ以上といった長尺の陶器製化粧材（テラコッタ）を用い、これを建物の外壁と適度の間隔をおいてルーバー状に配列する装飾法が現われている。これによれば、長尺の陶器製化粧材が外壁面から突出しているので、立体感に富み、豪華さを発現することができる。
【０００４】
しかし、従来の長尺の陶器製化粧材をルーバー状にした外壁化粧体の施工は、空洞内面に飛散防止用の合成高分子製シートを貼着し、長手方向両端部に外壁への取付け金具を固定した１０００〜２０００ｍｍの長尺陶器製化粧材の単品を用い、これを一枚づつ施工部位に運び、外壁に列状に配設したレールのごとき固定金具に前記取付金具を連結固定する方法が採られていた。
【０００５】
しかしこの構造や施工法では、外壁に沿って足場を組み、この足場を利用して設置作業を行うことが不可欠となるので、非常に手間と時間がかかるとともに工費が高くなり、また、長尺陶器製化粧材の支持が両端のボルト締めでの固定だけであるため、地震等が発生したときや台風時に他物が衝突したときに、破損して高所から落下する危険があり、安全上問題があった。
【発明の開示】
【発明が解決しようとする課題】
【０００６】
本発明は前記のような問題点を解消するためになされたもので、その目的とするところは、美麗な外壁装飾を実現することができるうえに、設置状態の安全性が高く、台風や地震等において、長尺陶器製化粧材の落下を防止することができ、さらに足場組を要さずに簡易に施工することができる実用的な外壁化粧体およびその施工方法を提供することにある。
【課題を解決するための手段】
【０００７】
上記目的を達成するため本発明の外壁化粧体は、長尺の陶器製化粧材を利用し建造物の外壁に設置されるルーバー型の化粧体であって、該化粧体が、外壁に設けた固定用金具に対する固定用部を有する左右の枠プレートと、前記枠プレート間に所要ピッチで配列された複数本の長尺陶器製化粧材と、各長尺陶器製化粧材の長手方向空洞部に挿通され、端部が前記枠プレートに連結固定された支持ロッドと、各長尺陶器製化粧材の空洞部に挿通され端部が前記枠プレートに連結固定されたロープとを備えたユニットから構成されていることを特徴としている。
【０００８】
また、本発明の外壁化粧体の施工方法は、建造物外壁に長尺の陶器製化粧材を利用したルーバー型装飾を施すにあたり、外壁に設けた固定用金具に対する固定用部を突設した左右の枠プレートと、前記枠プレート間に所要ピッチで配列された長尺陶器製化粧材と、各長尺陶器製化粧材の長手方向空洞部に挿通され、端部が前記枠プレートに連結固定された支持ロッドおよびロープとを備えたユニットを用い、該ユニットの前記枠プレートの端部にシャックルを含む吊具を取り付け、建造物に配したクレーンからのロープを前記吊具に連結してユニットを吊り上げ、左右の枠プレートの固定用部を外壁に設けた固定用金具に連結する作業を繰り返すことを特徴としている。
【発明の効果】
【０００９】
本発明によるときには、建築物の外壁に長尺陶器製化粧材を利用した立体的な装飾を施すことができ、しかもその装飾体が、所要面積あたり相当な本数の長尺陶器製化粧材を配列したユニットになっているので、外壁に足場を組むことなくクレーンで吊ったまま装着でき、大幅な工期短縮とコストダウンを図ることができる。
また、ユニットは予め工場で組立てることができ、それをトラックなどで運搬してそのまま吊り上げて設置できるので、現場での作業スペースも不要にすることができ、また、梱包材の処理など廃棄物が生じない利点もある。
【００１０】
また、長尺陶器製化粧材は内部に挿通した剛性の支持ロッドで安定して位置保持されるだけでなく、ロープが並列状に挿通されて両端を枠プレートに連結しているので、設置時および設置後の地震、強風などの外力により長尺陶器製化粧材が破損し、支持ロッドが折れたりずれたり外れたりしたような場合にも、ロープの柔軟性と伸びにより長尺陶器製化粧材の落下を防止することができ、安全性を高くすることができるというすぐれた効果が得られる。
【００１１】
また、本発明の施工方法によれば、広い面積の外壁に、長尺陶器製化粧材を用いた立体的装飾を簡易、迅速に施すことができ、吊具は繰り返し使用できるので経済的であるというすぐれた効果が得られる。
【発明を実施するための最良の形態】
【００１２】
左右の枠プレート間に中間枠プレートを有し、これを境として左右に長尺陶器製化粧材が配され、支持ロッドとロープが中間枠プレートを通過して端部の枠プレートに連結されている。
これによれば、長尺陶器製化粧材列が複列配置された大型ユニットとすることができ、設置作業を減じて、能率化を図ることができる。
【００１３】
枠プレートが支持ロッドの端部に対応する位置に穴を有し、支持ロッド端部に前記穴を通してねじが螺合して固定されており、ロープが端部に筒状圧着金具を有し、その筒状圧着金具の先端が枠プレートに設けた穴にてねじ止めされている。
これによれば、簡単、確実に長尺陶器製化粧材を位置決めおよび支持することができる。
【００１４】
吊具が、枠プレートの端部に着脱可能に取り付けられる支点部と、枠プレートの端部よりも外方に位置したシャックル取付け部と、前記支点部とシャックル取付け部間にあって最端の長尺陶器製化粧材またはロープ連結部との接触を避けるための逃げ部を有するプレートからなり、かつ、プレートの端部には、前記シャックル取付け部が牽引されたときに枠プレートの幅方向端面に当するストッパとを有している。
これによれば、クレーンでユニットを吊ったときに、長尺陶器製化粧材を壊さずに安全に起立させ、安定して垂直に吊り上げることができる。
【実施例１】
【００１５】
以下添付図面を参照して本発明の実施例を説明する。
図１ないし図３は本発明による長尺陶器製化粧材を用いた外壁装飾例を示しており、Ｂはビルディング、Ａは本発明にかかる外壁装飾体であり、ビルディングＢの所望範囲の外壁ｂに設置されている。
前記外壁装飾体Ａは、多数のセグメント(ユニット)１から構成されており、それぞれのセグメント１は、外壁ｂに設けた固定金具４，４にボルト・ナット５で強固に固定されている。固定金具４，４は必要かつ十分な強度があれば材質、形状、構造は特に限定されない。
【００１６】
前記セグメント１は、この実施例では、２タイプからなっており、第１のタイプは、左右の枠プレート(ガイドプレート)２、２と中間枠プレート２´と、左枠プレート２と中間枠プレート２´間、右左枠プレート２と中間枠プレート２´間にそれぞれ、しかも各列では相互に所要の間隔をあけて支架された複数本の長尺陶器製化粧材３を備えている。各長尺陶器製化粧材３は枠プレート２，２に支持ロッド６とロープ７にて支持されている。
第２のタイプは、左右の枠プレート２，２間に一列相互に所要の間隔をあけてルーバー状に配され、枠プレート２，２に支持ロッド6とロープ７にて支架された複数本の長尺陶器製化粧材３とを備えている。
【００１７】
図４ないし図９は前記第１のタイプのセグメント１を単体の状態で詳細に示している。
左右の枠プレート２、２と中間枠プレート２´は、機械的強度が高くかつ耐食性がすぐれた金属、たとえばステンレスで代表される鋼材で作られ、それぞれ所要本数(この例では８本)の長尺陶器製化粧材３を平行状に配設可能な長さと、長尺陶器製化粧材３の幅と同等程度の幅を有している。枠プレート２、２、２´の所要高さ位置には、外壁ｂに設けた固定金具４，４に装着するための側方に延出した固定用部２ａが設けられており、この例ではブラケット状をなし、ボルト挿通用の長孔２０が設けられている。
【００１８】
長尺陶器製化粧材３は、テラコッタと称されるたとえば１０００ｍｍ以上の長尺の陶磁器を主材とするものであり、表面に所望の仕上げが施されており、図３などで示すように、長手方向を貫通する空洞３０を有している。表明にはその断面形状は任意であるが、この例では長円状ないしそれに類する形状をなしており、隔壁で区画された３つの空洞３０１〜３０３を有している。そして、長尺陶器製化粧材３の端面には、前記枠プレート２、２、２´との接触による損傷と共振を防止するために、空洞に対応する窓孔を形成したゴムなどの緩衝シート８が添着されている。
【００１９】
支持ロッド６とロープ７は前記長尺陶器製化粧材３の空洞３０を貫通して端部が左右の枠プレート２、２に連結される。この例では１本の長尺陶器製化粧材３あたり支持ロッド６が２本用いられ、３つの空洞３０１〜３０３のうち左右のもの３０１，３０３に挿通されており、ロープ７は中央の空洞３０２に挿通されている。
【００２０】
前記左右の枠プレート２、２には、図４(ｃ)や長尺陶器製化粧材３の空洞延長線上の部位に、前記支持ロッド６を連結固定するための止め穴２１が設けられ、また、ロープ７の連結固定用穴２２が設けられている。また、中間枠プレート２´には、支持ロッド６の挿通を許す通し穴２３と、ロープ７の挿通を許す通し穴２４が設けられている。通し穴２４は後述する端末金具7ｂの外径と同等程度の大きさを有している。
さらに、左右の枠プレート２、２と中間枠プレート２´のそれぞれの頂部付近には、地上に配されたセグメント１をビルディングＢの所望範囲の外壁ｂに吊り上げるための吊具取付け穴２５が設けられている。
【００２１】
前記支持ロッド６は長尺陶器製化粧材３を支持する手段であり、機械的強度の高い材料たとえば鋼材などからなり、円形、角など任意の断面形状を有している。そして、連結固定部分が枠プレート２，２から大きく突出することを避けるため、この例では、図６のように両端に雌ねじ穴６０を設け、枠プレート２，２に端面を当接させた状態で枠プレート２，２の止め穴２１を通してねじ９を雌ねじ穴６０に螺合することで支持ロッド６を架設し、長尺陶器製化粧材３を位置決め支架している。
【００２２】
ロープ７は落下防止手段であり、衝撃的な外力が作用して長尺陶器製化粧材３が破損して支持ロッド６までもが折損した場合や、支持ロッド6が何らかの原因で枠プレート２，２から外れた場合にも、長尺陶器製化粧材３の離脱と落下を防止すべく、長尺陶器製化粧材３内に配され、張力が全くかかっていないかあるいはほとんどかかっていない状態で両端が枠プレート２，２に連結支持される。
【００２３】
前記ロープ７は、任意の構造のワイヤロープ、あるいは合成繊維、炭素繊維などの繊維ロープが用いられ、ロープ本体7ｃの両端に筒状の端末金具７ａ、7ｂを圧着している。この例では、図６と図７のように、一端側の端末金具７ａには枠プレート２の連結固定用穴２２の外面に当接されるストッパ用鍔７０が設けられ、他端側の端末金具７ｂには、基部に回り止め用の非円形部７１０を有する雄ねじロッド部７１が延設されている。雄ねじロッド部７１の端面から所要長さには、引き出し用の穴(雌ねじまたは角穴)７１１が穿設されている。
【００２４】
一方の枠プレート２には、図６と図７のように、連結固定用穴２２として、前記非円形部７１０に対応する異形穴２２０が設けられるとともに、これより外方にはテーパー付きのロック用ナット１０を据えることが可能なテーパー穴２２１が形成されており、回り止め用の非円形部７１０を有する雄ねじロッド部７１を異形穴２２０に挿入し、雄ねじロッド部７１にナット１０を螺合し、穴７１１に引き出し用の棒状治具１１を螺合しまたは嵌合して回転することで、雄ねじロッド部７１を所要長さ延出させ、それにより端末金具７ｂを枠プレート２の内側面に当接挿せ、ロープ本体7ｃを適度に緩んだ状態にしながらしっかりと両端を固定するようにしている。
この態様の利点は、ナット１０のテーパー部分が枠プレート２内に没入して枠プレート２の外面に大きな突起物が現れないため、外観をよくすることができるとともに、左右のセグメント１の間隔を狭めることができることである。
【００２５】
図９は第１のタイプの分解状態を示しており、図１０は第２のタイプのそれを示している。
第１のタイプにおいては、左右の枠プレート２と中間枠プレート２´を所要の間隔に配材し、左と中間の枠プレート間、右と中間の枠プレート間に長尺陶器製化粧材３を介装する。このときに、一方の枠プレートは距離をおいて配材しておく。
この状態で支持ロッド６，６を長尺陶器製化粧材３の長手方向一端から挿入し、中間枠プレート２´の通し穴２３を通過させながら空洞３０１，３０３を貫通させ、支持ロッド先端に枠プレート２を通してねじ９を挿入し、雌ねじ穴６０に螺合する。これで支持ロッド６、６の一端が枠プレート２に連結固定され、中間が中間枠プレート２´に支持される。
【００２６】
一方、ロープ７を用意し、これをストッパ７０が枠プレート２の外面に位置するようにして、他端側の端末金具７ｂを連結固定用穴２２を通して長尺陶器製化粧材３の空洞３０２に挿入し、中間枠プレート２´の通し穴２４を貫通させ、さらに長尺陶器製化粧材３の他端を貫かせ、他端の枠プレート２の連結固定用穴２２に挿入する。
こうしたならば、支持ロッド６，６の他端に前記と同様にねじ９を螺合して緊締する。これにより、支持ロッド６，６が架設され、長尺陶器製化粧材３、３が安定支持される。そして、連結固定用穴２２に延在している雄ねじロッド部７１にロックナット１０を螺合し、穴７１１に引き出し用の棒状治具１１を螺合し、または嵌合して回転する。これで、雄ねじロッド部７１が所要長さ延出させられ、ロックナット１０の螺合をきつくすることでロープ７はテンションがゼロかまたは弱テンション状態で枠プレート２，２に連結される。
以上の作業を長尺陶器製化粧材３に対して繰り返すことで図４，５に示すセグメントが得られる。
【００２７】
第２のタイプにおいては、支持ロッド６，６を長尺陶器製化粧材３の長手方向一端から挿入し、中間枠プレート２´の通し穴２３を通過させながら空洞３０１，３０３を貫通させ、支持ロッド先端に枠プレート２を通してねじ９を挿入し、雌ねじ穴６０に螺合する。これで支持ロッド６、６の一端が枠プレート２に連結固定され、長尺陶器製化粧材３．３は水平に支持される。
【００２８】
ロープ７をストッパ７０が枠プレート２の外面に位置するようにして、他端側の端末金具７ｂを連結固定用穴２２を通して長尺陶器製化粧材３の空洞３０２に挿入し、長尺陶器製化粧材３の他端を貫かせ、他端の枠プレートの連結固定用穴２２に挿入し、支持ロッド６，６の他端に前記と同様にねじ９を螺合して緊締する。以上の作業を繰り返すことでセグメントが得られる。
【００２９】
次に、得られたセグメント１をビルディングＢの所望範囲の外壁ｂに設置する工程について説明すると、図１１ないし図１４のごとくである。
本発明においては、セグメント１を地上に配置しあるいはトラックの荷台載せたまま、クレーンＣを用いて吊り上げ、枠プレート２、２，２´に設けてある各固定用部２ａを、外壁ｂに予め設けてある固定用金具４，４に連結固定するもので、原則として足場を組む必要はなく、固定用部２ａと固定用金具４の連結も、外壁ｂに沿ってゴンドラなどを吊り下げ、これに乗った作業員が腕を伸ばして工具操作を行うことで実行できるため、簡易、能率的である。
【００３０】
かかる目的を実現するために、好ましくは、特殊な吊具(吊り治具)１２，１３を枠プレート２、２，２´に着脱自在に装備させる。このため、枠プレート２の上端付近に板厚を貫いて前記のように吊具取付け穴２５を設けておく。
図１２は枠プレート２、２に対する吊具１２を示しており、端部が枠プレート２の上端部の前方と上方に突出する形状寸法を持つ鋼材からなるプレート１２ａからなっており、長手方向一端部付近には、前記吊具取付け穴２５に合致してボルト・ナットなどの支点部材１４が挿脱可能に挿通されることにより得られる支点部１２０を有しており，枠プレート２の上端部の前方に突出する他端部付近にはシャックル取付け部１２１が設けられている。
【００３１】
そして、プレート１２ａの長手方向後端には、シャックルＳが吊りロープを介してクレーンにより上方に牽引されたときに枠プレート２の幅方向端面に当接するストッパ１２２が固設されている。前記支点部１２０とシャックル取付け部１２１の間には、吊り上げ時にロープ７の端部連結固定部との接触を避けるための逃げ部１２３が欠設されている。
【００３２】
図１３と図１４は中間枠プレート２´に対する吊具１３を示しており、端部が枠プレート２の上端部の前方と上方に突出する形状寸法を持つ鋼材からなる左右２枚１組のプレート１３ａ、１３ａからなっており、中間枠プレート２´の板厚方向両側に接近して配される。
前記プレート１３ａ、１３ａの長手方向一端部付近には、前記吊具取付け穴２５に合致してボルト・ナットなどの支点部材１４が挿脱可能に挿通されることにより得られる支点部１３０を有しており，枠プレート２の上端部の前方に突出する他端部付近にはシャックル取付け部１３１が設けられている。そして、プレート１３ａ、１３ａの長手方向後端には、シャックルＳがクレーンにより上方に牽引されたときに枠プレート２Ｄ´の幅方向端面に当接するストッパ１３２が固設されている。このストッパ１３２はプレート１３ａ、１３ａを連結する手段も兼ねている。
そして、前記支点部１３０とシャックル取付け部１３１の間には、長尺陶器製化粧材３との接触を避けるための逃げ部１３３が欠設され、したがって、吊具１３は、全体として下向きコ状となっている。
【００３３】
セグメント１の吊り上げ設置に当たっては、これが水平状に配置されているときには、図１１(ａ)（ｂ）のように、クレーンＣの吊りロープＲに取り付けたバー状吊り部体Ｄからのロープｒの先端部を枠プレート２、２，２´の上端部に取り付けてある吊具１２，１３のシャックルＳに繋ぎ、クレーンＣを駆動して吊りロープＲを引き上げる。
これにより、吊具１２，１３は支点部１２０，１３０を支点として転回しようとするが、吊り作用点と反対側にあるストッパ１２２，１３２が枠プレート２、２，２´の上端縁に当接するため、梃子の作用によりセグメント１は水平状態から傾斜状に姿勢が変えられる。
【００３４】
このときに、吊具１２，１３には中間部分に逃げ部１２３、１３３が欠設されているので、落下防止用のロープ７の端部連結固定部および長尺陶器製化粧材３と衝突することがなく、引き続く持ち上げにより、図１１（ｃ）や図１４(ｂ)のようにセグメント１は垂直状に牽引され、クレーンロープの巻収によりビルディングＢの外壁ｂにほぼ沿うように所定位置まで持ち上げられる。そこで、このようにクレーンで吊ったまま、枠プレート２、２，２´の固定用部２ａを外壁ｂの固定用金具４，４とあわせ、ボルト・ナット５を操作することにより、図２，図３のように設置される。
設置後は、支点部１２０，１３０の支点部材１４を吊具１２，１３から取り外すことにより吊具は繰り返し使用することができ、以下、他のセグメント１について上記作業を反復することで、長尺陶器製化粧材による外壁装飾を能率的に施すことができる。
【００３５】
得られた外壁装飾においては、左右と中間の枠プレート２、２，２´がたとえば７〜１２ｍｍの薄い厚さであるため目立たず、あたかも長尺陶器製化粧材３が並列されているような良好な外観を呈する。この状態においては、各長尺陶器製化粧材３，３は、空洞内３０を貫通している支持ロッド６，６により重量が支持され、水平状に安定して架設されている。
そして、地震による振動で変形が生じ、あるいは台風などにより硬質の物体が長尺陶器製化粧材３に衝突し、それらにより長尺陶器製化粧材３が破損したときに、支持ロッド６，６が長尺陶器製化粧材３の破損されていない残部の落下を防止する。そして、支持ロッド６，６が折れたり、支持ロッド６，６と枠プレート２、２との連結が取れたりした場合も、それまで張力がかかっていないか弱い張力であったロープ７により長尺陶器製化粧材の重量が支持され、伸びにより荷重を支持する。したがって、長尺陶器製化粧材の落下が的確に防止され、安全性を高いものにすることができる。
【実施例２】
【００３６】
図１５と図１６は本発明の第２実施例を示している。
この実施例は、長尺陶器製化粧材３の断面積が比較的小さい場合を示しており、１本の支持ロッド6が空洞部３０を貫通して左右の枠プレート２、２に架設されるとともに、ロープ７が空洞部３０を貫通して左右の枠プレート２、２に架設されている。
そして、長尺陶器製化粧材３の位置ないし姿勢を保持するため、枠プレート２には差込み片２ｂが屈曲形成され、これが長尺陶器製化粧材３の空洞部端部部位（支持ロッド６と反対側）に挿入されている。
【００３７】
この例では枠プレート２、２はビル外壁に面する端部に直角状の屈曲板部２００を有しているが、第１実施例と同じように帯板状をなしていてもよい。
また、この例では、落下防止用ロープ７の連結固定構造として、枠プレート２、２に雄ねじロッド部７１の挿通を許す矩形状穴２２´を設け、ここに矩形状の座金１４を嵌め、雄ねじロッド部７１の端面の穴７１１に引き出し用の棒状治具１１を螺合しまたは嵌合して回転することで牽引し、雄ねじロッド部７１にロックナット１０を螺合することでロープ７をテンションがほぼゼロの状態で連結固定している。
【００３８】
本発明は上記実施例に限定されるものではなく、種々の態様を採用し得ることはいうまでもない。
１）長尺陶器製化粧材３は長手方向を貫通する空洞部を有している限り、形状に限定はなく、断面円形、角形（長円形、台形状など）、彎曲形、流線形、異形タイプなど任意である。空洞部は単一である場合、隔壁を有して複数である場合、空洞が穴である場合などさまざまなケースがあり得る。
２）左右の枠プレート２、２に加えて、これと直角方向に枠プレートを組みつけていてもよい。この場合には、セグメントは周枠に配列された形態となる。
３）セグメントは横使いすなわち枠プレート２、２を上下方向にし、長尺陶器製化粧材３を縦方向に配列させた形態としてもよい。
【００３９】
支持ロッド６の枠プレート２に対する固定方式は任意であり、上記実施例の態様に限定されない。
すなわち、実施例では、セグメント間隔を狭めるために、支持ロッド６の端面に雌ねじ穴６０を穿設し、枠プレート２、２の通孔２１を通して外面側からねじ９を雌ねじ穴６０にねじ込むことで架設固定しているが、支持ロッド６の端部が枠プレート２、２の外面に突出することが許される場合には、たとえば、支持ロッド６の端部に雄ねじを設け、枠プレート２、２の通孔を通して雄ねじ部を突出させ、ナットで緊締するようにしてもかまわない。
【００４０】
落下防止用のロープ７は、１本の長尺陶器製化粧材３に複数本用いられていてもよい。また、ひとつのセグメントにおいて、ロープ７が用いられていない部分が適当本数あってもよい。
ロープ７の枠プレート２に対する連結固定方式も任意であり、上記実施例の態様に限定されない。いくつかの例を示すと次のとおりである。
１)たとえば、図１７のように、端末金具７ｂの雄ねじロッド部７１を枠プレート２から突き出し、ロックナット１０で緊締してもよい。
２)また、図１８のような態様としてもよい。すなわち、片側の枠プレート２に板厚を貫通する開口２２´を設け、内径が前記開口と同じ程度のカップ状部材１６の口端部を枠プレート２の内面側に固着し、カップ状部材１６の底部に端末金具７ｂの雄ねじロッド部７１を挿通する通孔１６０を形成しておく。
【００４１】
この場合には、カップ状部材１６にロックナット１０を配し、雄ねじロッド部７１をこれに螺通し、雄ねじロッド部７１の端面の雌ねじまたは角孔７１１に引き出し用の棒状治具を螺合しまたは嵌合して回転することで端末金具７ｂを引き出し、ロックナット１０で緊締する。そして、開口２２´から奥の空隙にコーキング材１７を充填する。
この図１８の形態は、端末金具７ｂが枠プレート２から突出しないので、体裁がよいとともに、セグメントを接近して配置することができる利点がある。なお、カップ状部材１６は枠プレートをプレス加工して膨出部を形成することで得てもよい。
３)各態様において、落下防止用のロープ７の一端側をストッパ７０を有する端末金具７ａとしているが、これに代えて、雄ねじロッド部７１を有する端末金具７ｂとしてもよい。
【図面の簡単な説明】
【００４２】
【図１】本発明の施工状態の一例を示す部分切欠斜視図である。
【図２】図１の部分的拡大図である。
【図３】(ａ)は図２の外壁との取り合いを示す拡大斜視図、(ｂ)は(ａ)のＸ−Ｘ線に沿う断面図である。
【図４】(ａ)は本発明におけるユニットの一例を示す正面図、(ｂ)は(ａ)のＹ−Ｙ線に沿う断面図、(ｃ)は(ａ)の端面図である。
【図５】本発明におけるユニットの一例を示す部分切欠平面図である。
【図６】図５の部分切欠拡大横断面図である。
【図７】図４(ａ)の部分切欠拡大縦断面図である。
【図８】図７の連結固定部の部分的断面図である。
【図９】(ａ)は本発明の第１実施例における第１のタイプを分解状態で示す斜視図、（ｂ）は長尺陶器製化粧材と支持ロッドとロープの取り合いを示す斜視図である。
【図１０】発明の第１実施例における第2のタイプを分解状態で示す斜視図である。
【図１１】(ａ)は設置施工時の初段階を示す部分的斜視図、(ｂ)は吊り上げ開始状態の部分的斜視図、(ｃ)は吊り上げ中の状態の斜視図である。
【図１２】(ａ)は枠プレートに吊り上げ治具を装着した状態の側面図、(ｂ)はその平面図、(ｃ)は吊り上げ開始状態の斜視図である。
【図１３】(ａ)は中間枠プレートに吊り上げ治具を装着した状態の側面図、(ｂ)はその平面図である。
【図１４】(ａ)は吊り上げ開始状態の側面図、(ｂ)は吊り上げ中の状態の側面図である。
【図１５】(ａ)は本発明の第２実施例の正面図、(ｂ)はその断面図である。
【図１６】第２実施例の分解状態を示す斜視図である。
【図１７】本発明における枠プレートに対するロープの連結方式の他の例を示す断面図である。
【図１８】本発明における枠プレートに対するロープの連結方式のさらに他の例を示す断面図である。
【符号の説明】
【００４３】
１  長尺陶器製化粧材を用いた外壁装飾体セグメント(ユニット)
２  枠プレート
２´中間枠プレート
２ａ  固定用部
３  長尺陶器製化粧材
４  固定金具
６  支持ロッド
７  ロープ
１２，１３  吊具(吊り治具) 
１２０。１３０  支点部
１２１、１３１  シャックル取付け部
１２２，１３２  ストッパ
１２３、１３３  逃がし部 
【図１】
2008223256.tif 000003
【図２】
2008223256.tif 000004
【図３】
2008223256.tif 000005
【図４】
2008223256.tif 000006
【図５】
2008223256.tif 000007
【図６】
2008223256.tif 000008
【図７】
2008223256.tif 000009
【図８】
2008223256.tif 000010
【図９】
2008223256.tif 000011
【図１０】
2008223256.tif 000012
【図１１】
2008223256.tif 000013
【図１２】
2008223256.tif 000014
【図１３】
2008223256.tif 000015
【図１４】
2008223256.tif 000016
【図１５】
2008223256.tif 000017
【図１６】
2008223256.tif 000018
【図１７】
2008223256.tif 000019
【図１８】
2008223256.tif 000020